【事件の表示】
　平成４年特許願第１８４６４６号「スリップフォーム装置」拒絶査定に対する審判事件〔平成６年１月１１日出願公開、特開平６−２４２９、請求項の数（２）〕について、次のとおり審決する。
【結　論】
　原査定を取り消す。
　本願の発明は、特許すべきものとする。
【理　由】
１．手続の経緯 
　本願は、平成４年６月１９日に出願されたものであり、その請求項１、２に係る発明（以下、「本願発明１，２」という。）は、平成１３年２月２７日付けで補正された明細書及び出願当初図面の記載からみて、その請求項１、２に記載された次のとおりのものである。　
　
【請求項１】　
　装置全体をクライミングジャッキによりクライミングロッドに沿い上昇させることができるようにしてなるスリップフォーム装置において、
（１−１）内側柱材１８と縦材３１との間に内側ヨーク用上部水平梁１９，１９、中段床３４および下段床３５をピン結合して構成した内側ヨークを、作業ステージであるトラス２のコンクリート壁ｃより内側に位置する部分に、水平移動および揺動自在に吊設していること、
（１−２）上記内側ヨークを上記トラス２に沿って水平移動させる自動操作の内側ヨーク用径および壁厚調整ジャッキ２４を、上記内側ヨーク用上部水平梁１９，１９に搭載していること、
（１−３）上記トラス２のトラス下側材２ｂに複数のボールネジ固定ブロック用孔２ｃ、２ｃ・・・を所要の間隔で穿設し、その複数のボールネジ固定ブロック用孔２ｃ、２ｃ・・・のうちの任意のものに上記内側ヨーク用径および壁厚調整ジャッキ２４のボールネジ固定ブロック３０を取り付けることにより、該ジャッキ２４を任意の位置に盛り変えることができるようにしていること、
（２−１）外側柱材３７と縦材４１との間に外側ヨーク用上部水平梁３８，３８、中段床４４および下段床４５をピン結合して構成した外側ヨークを、作業ステージであるトラス２のコンクリート壁ｃより外側に位置する部分に、上記内側ヨークとは分離独立させて、水平移動および揺動自在に吊設していること、
（２−２）その外側ヨークを上記トラス２に沿って水平移動させる自動操作の外側ヨーク用径および壁厚調整ジャッキ４０を、上記外側ヨーク用上部水平梁３８，３８に搭載していること、
（２−３）上記トラス２のトラス下側材２ｂに複数のボールネジ固定ブロック用孔を所要の間隔で穿設し、その複数のボールネジ固定ブロック用孔のうちの任意のものに、上記外側ヨーク用径および壁厚調整ジャッキ４０のボールネジ固定ブロックを取り付けることにより、該ジャッキ４０を任意の位置に盛り変えることができるようにしていること、  
（３）上記内側ヨークに、内側ヨーク用上部水平梁１９，１９、中段床３４および下段床３５を水平に維持したまま内側柱材１８と縦材１３の傾斜勾配を調整する勾配調整用ターンバックル３６を付設し、また、上記外側ヨークに、外側ヨーク用上部水平梁３８，３８、中段床４４および下段床４５を水平に維持したまま外側柱材３７と縦材４１の傾斜勾配を調整する勾配調整用ターンバックル４６を、付設したこと、
（４）上記内側柱材１８および外側柱材３７のうちのいずれか一方にだけジャッキ受け梁２２を取り付け、そのジャッキ受け梁２２に装着したクライミングジャッキ２３を、上記コンクリート壁ｃに植立したネジ付きのクライミングロッド２３ｂに沿ってクライミングさせて装置全体を上昇させることができるようにしたこと、
（５）上記内側柱材１８および外側柱材３７のうちのいずれか一方あるいは両方に上記コンクリート壁ｃを押圧するように腹起し９を介してせき板１０ｂを取り付けたことを特徴とするスリップフォーム装置。
【請求項２】
　装置全体をクライミングジャッキによりクライミングロッドに沿い上昇させることができるようにしてなるスリップフォーム装置において、
（１−１）内側柱材１８と縦材３１との間に内側ヨーク用上部水平梁１９，１９、中段床３４および下段床３５をピン結合して構成した内側ヨークを、作業ステージであるトラス２のコンクリート壁ｃより内側に位置する部分に、水平移動および揺動自在に吊設していること、
（１−２）上記内側ヨークを上記トラス２に沿って水平移動させる自動操作の内側ヨーク用径および壁厚調整ジャッキ２４を、上記内側ヨーク用上部水平梁１９，１９に搭載していること、
（１−３）上記トラス２のトラス下側材２ｂに複数のボールネジ固定ブロック用孔２ｃ、２ｃ・・・を所要の間隔で穿設し、その複数のボールネジ固定ブロック用孔２ｃ、２ｃ・・・のうちの任意のものに上記内側ヨーク用径および壁厚調整ジャッキ２４のボールネジ固定ブロック３０を取り付けることにより、該ジャッキ２４を任意の位置に盛り変えることができるようにしていること、
（２−１）外側柱材３７と縦材４１との間に外側ヨーク用上部水平梁３８，３８、中段床４４および下段床４５をピン結合して構成した外側ヨークを、作業ステージであるトラス２のコンクリート壁ｃより外側に位置する部分に、上記内側ヨークとは分離独立させて、水平移動および揺動自在に吊設していること、
（２−２）その外側ヨークを上記トラス２に沿って水平移動させる自動操作の外側ヨーク用径および壁厚調整ジャッキ４０を、上記外側ヨーク用上部水平梁３８，３８に搭載していること、
（２−３）上記トラス２のトラス下側材２ｂに複数のボールネジ固定ブロック用孔を所要の間隔で穿設し、その複数のボールネジ固定ブロック用孔のうちの任意のものに、上記外側ヨーク用径および壁厚調整ジャッキ４０のボールネジ固定ブロックを取り付けることにより、該ジャッキ４０を任意の位置に盛り変えることができるようにしていること、
（３）上記内側ヨークに、内側ヨーク用上部水平梁１９，１９、中段床３４および下段床３５を水平に維持したまま内側柱材１８と縦材１３の傾斜勾配を調整する勾配調整用ターンバックル３６を付設し、また、上記外側ヨークに、外側ヨーク用上部水平梁３８，３８、中段床４４および下段床４５を水平に維持したまま外側柱材３７と縦材４１の傾斜勾配を調整する勾配調整用ターンバックル４６を、付設したこと、
（４）上記内側柱材１８および外側柱材３７のうちのいずれか一方にだけジャッキ受け梁２２を取り付け、そのジャッキ受け梁２２に装着したクライミングジャッキ２３を、上記コンクリート壁ｃに植立したネジ付きのクライミングロッド２３ｂに沿ってクライミングさせて装置全体を上昇させることができるようにしたこと、
（５）上記内側柱材１８および外側柱材３７のうちのいずれか一方に上記コンクリート壁ｃを押圧するように腹起し９を介してせき板１０ｂを取り付けけるとともに、他方に取り付けたパネル支持用ローラー４７を介して上記コンクリート壁ｃを押圧するように挾持される埋め殺しパネル４８を、コンクリート壁ｃの所定位置に設置するために吊り下げるトロリーを装架するパネル移動用ガイドレール４９を、内側ヨーク用上部水平梁１９，１９または外側ヨーク用上部水平梁３８，３８に設置したこと、
（６）パネル支持用ローラー４７を取り付けた上記内側柱材１８または外側柱材３７に、上記トロリーによりコンクリート壁ｃの所定位置に設置した上記埋め殺しパネル４８を仮固定するパネル支持金具５０を付設してなることを特徴とするスリップフォーム装置。
　
２．引用例記載の発明 　　　　　　　　　　　　　　　　　　　　　　　
　
　これに対して、原査定の拒絶の理由の概要は、本願発明１は、本件特許出願前に頒布された刊行物である実願昭５６−１２５２７１号（実開昭５８−３１３４６号）のマイクロフイルム（以下、引用例１という。）、及び、特開昭５０−３５９３０号公報（以下、引用例２という。）に記載された発明に基づいて、また本願発明２は、本件特許出願前に頒布された刊行物である前記引用例１、及び、前記引用例２、並びに、本件特許出願前に頒布された刊行物である特開昭５９−１２２６６６号公報（以下、引用例３という。）に記載された発明に基づいて記載された発明に基づいて、ともに当業者が容易に発明をすることができたものであるので、本願発明１，２は特許法第２９条第２項の規定により特許を受けることができない、というにある。
　
そして
（１）引用例１には、には、下記（イ）（ロ）（ハ）（ニ）の記載がある。
　
（イ）「本考案装置は従来のものと以下の相違点を有する。すなわち、第１は、ヨーク脚４が著しく長く、その結果、ヨーク梁５が頭抜けて高い。これは、施工中に鉄板６を建て込む工程が含まれるからであり、このようにヨーク梁の下側に新たに一層分の鉄板を建て込むためのスペースを確保しておくのである。」（第３頁５行〜１１行）
（ロ）「第２の相違点は、この装置全体とこれを支持して上昇させるジャッキとの接点が従来と異なる。従来はヨーク梁にジャッキを直接取り付けていたが、本考案では図示のように外側ヨーク脚４ａにブラケット８を取り付け、これにジャッキを連結した。これにより、ヨーク梁の位置が高くとも、ジャッキの高さは従来通りであってロッドの性能も従来のもので足りる。なお、ブラケットを外側ヨーク脚に取り付けた理由は内側に鉄板を建て込む際の障害にならないようにするためである。」（第３頁１２行〜第４頁２行）
（ハ）「第３の相違点は、滑動型枠板７が外側ヨーク脚のみに取り付けられ、内側（鉄板側）ヨーク脚４ｂには鉄板壁面を取り付けられた点である。これは、鉄板が型枠に兼用されるので当然とも言えるが、ローラーで反力を受けて装置全体に安定性を与えるものであるから、鉄板面に金具等を取り付ける必要がなく、着脱の手間をも要さないメリットがある。」（第４頁３行〜１０行）、
（ニ）「すなわち、本考案装置は、従来のものに比べ、重心がジャッキの位置に対して高いので多少安定性に不安があるが、これをヨーク脚を下方に延長してローラーを取付け、壁体に当接させることにより解決した。しかし、これによらず、内側ヨーク脚に接続する足場用繋ぎ梁１０とヨーク梁とを筋違１１で連結しても良い。」（第４頁１２行〜１９行）、
　
（２）また、引用例２には、下記（イ）（ロ）の記載がある。
　
（イ）「壁厚方向に延長すると共に外端にハンドル１４，１５を有する左右１対の水平な横螺杆１，２が壁厚方向において配置され、かつ各横螺杆１，２の両端部が支持フレーム３に対し軸受１６、１７を介して回転自在に取付けられ、更に前記横螺杆１，２には支持部材４，５における雄ねじ片１８，１９が螺合されている。」（第２頁右欄６行〜右欄１３行）
（ロ）「支持部材４，５の内端側には、縦フレーム６，７の上端部内側部分が、横螺杆１，２に直角な横軸８，９により枢着され、かつ支持部材４，５の外端側には、１対の把持用ナット２０，２１を螺合した傾斜調節用ボルト１０，１１の上端部が、横螺杆１，２に直角な水平支軸２２，２３により、枢着され、さらにそのボルト１０，１１は縦フレーム６，７の上端部外周部分に貫通され、また各縦フレーム６，７の内側には、コンクリート壁面形成用型枠１２，１３がボルトにより着脱自在に取付けられている。」（第２頁右欄１３行〜第３頁左上欄３行）
　
（３）そして、引用例３には、「当該コンクリートCは、自立する強度を有する状態に達する迄の期間中、外側の滑動型枠１および鋼板Ｂ１を介して内側の滑動型枠２によって拘束され、通常２ｍの水平方向の間隔にヨークの脚３ａと結合され、ヨーク３によって懸垂されている。
　ヨークの梁３ｂ上には、センタ．ホール型の揚重ジャッキ４が固定され、中央の孔を貫通して建てられたロッド５を反力の支柱として上昇動作を行う。
　ロッド５は、壁下端（・・・）に達し、当該ロッド５ににかかる反力を基礎構造体（・・・）に伝達させている。
　シート建込み案内具Ａは、ヨーク３の股下を貫通して、壁と同一方向に沿って水平に延びた一方のガイド．レール７と、鋼板の上縁端と連結するクランプ８ｂとガイド．レール７の内部を走行する車輪８ｂを具備した必要個数のハンガ８と、総てのヨーク梁３ｂに軸を水平方向に向けて接合された滑車６と、一方の端末をガイド．レール７に緊結して、当該滑車６に架けられたワイヤ．ロープ９と、このワイヤ．ロープ９の他方の端末を緊結された、上下移動の自由な金属塊等のウエイト１０を主な構成要素とし、このウエイト１０の重量を、ガイド．レール７、ハンガ８、ワイヤ．ロープ９及びハンガに懸垂される鋼板の全重量に、追加重量を合計したものとする。
　クレーン等で鋼板Ｂ２を吊り上げ、ガイド．レール７の際に建て、当該鋼板Ｂ２の上縁端に溶着して突出させたる上鋼板片１４の孔と、クランプ８ｂの孔とに、クランプ．ピン８ｃを、貫通させて仮に連結して、当該鋼板Ｂ２をハンガ８を滑べらせて、所定の位置迄横移動させ、下向きの力を加えて、当該鋼板Ｂ２の高さ位置を調整し、下方のコンクリートと一体化した鋼板Ｂ１の上鋼板片１４と、当該鋼板Ｂ２の下縁部に溶着したる下鋼板片１５をワイヤ等の緊結材によって仮に連接し、又は溶着した後は、ジャッキ４を作動させてヨーク３，滑動型枠１，２を上昇させても、当該鋼板の面内垂直方向にウエート１０の追加重量に相当する引張力を与えたままで、ガイド．レール７及び鋼板Ｂ１、鋼板Ｂ２は静止状態を保つことが出来る。」と記載されている。（第２頁右上欄１８行〜第３頁左上欄１行）　
　
３．対比・判断
　
　引用例１には、前記の引用例１に関する（イ）（ロ）及び図面の記載から、「内側ヨーク脚４ｂと外側ヨーク脚４ａをヨーク梁５に固定垂下し、その外側ヨーク脚４ａに取り付けたブラケット８の先端を、打設コンクリート中に立設するロッド２をクライミングするジャッキ３に連繋支持している鉄板打込みサイロ用滑動型枠装置」が記載されている。
　
　また（イ）（ロ）（ハ）及び図面の記載から、引用例１に記載のものは、内側ヨークを、作業ステージであるヨーク梁のコンクリート壁より内側に位置する部分に、水平移動および揺動自在に吊設していること、また、上記内側ヨークを上記ヨーク梁に沿って水平移動させる自動操作の内側ヨーク用径および壁厚調整ジャッキをヨーク梁に搭載していると見ることが出来る。
　
　同様に、引用例１に記載のものは、外側ヨークを、作業ステージであるヨーク梁のコンクリート壁より外側に位置する部分に、水平移動および揺動自在に吊設していること、また、上記外側ヨークを上記ヨーク梁に沿って水平移動させる自動操作の外側ヨーク用径および壁厚調整ジャッキをヨーク梁に搭載していると見ることが出来る。
　
　そこで、本願発明１，２と引用例１に記載された発明を対比すると、引用例１に記載された発明の「ジャッキ３」「ロッド２」「滑動型枠装置」「内側ヨーク脚４ｂ」「ヨーク梁５」「外側ヨーク脚４ａ」「ヨーク梁５」「ブラケット」「滑動型枠板」は、各々本願発明１，２の「クライミングジャッキ」「クライミングロッド」「スリップフォーム装置」「内側柱材」「内側ヨーク用上部水平梁」「「外側柱材」「外側ヨーク用上部水平梁」「ジャッキ受け梁」「腹起し」に相当する。
　
　したがって両者は、
　
　「装置全体をクライミングジャッキによりクライミングロッドに沿い上昇させることができるようにしてなるスリップフォーム装置において、
（１−１）内側柱材１８と縦材３１との間に内側ヨーク用上部水平梁１９，１９、中段床３４および下段床３５をピン結合して構成した内側ヨークを、作業ステージであるトラス２のコンクリート壁ｃより内側に位置する部分に、水平移動および揺動自在に吊設していること、
（１−２）上記内側ヨークを上記トラス２に沿って水平移動させる自動操作のジャッキ２４を、上記内側ヨーク用上部水平梁１９，１９に搭載していること、
（４）上記内側柱材１８および外側柱材３７のうちのいずれか一方にだけジャッキ受け梁２２を取り付け、そのジャッキ受け梁２２に装着したクライミングジャッキ２３を、上記コンクリート壁ｃに植立したネジ付きのクライミングロッド２３ｂに沿ってクライミングさせて装置全体を上昇させることができるようにしたこと、
（５）上記内側柱材１８および外側柱材３７のうちのいずれか一方あるいは両方に上記コンクリート壁ｃを押圧するように腹起し９を介してせき板１０ｂを取り付けたことを特徴とするスリップフォーム装置」である点で共通する。
　
　しかし、壁厚調整装置が、本願発明１，２においては、（１−３）上記トラス２のトラス下側材２ｂに複数のボールネジ固定ブロック用孔２ｃ、２ｃ・・・を所要の間隔で穿設し、その複数のボールネジ固定ブロック用孔２ｃ、２ｃ・・・のうちの任意のものに上記内側ヨーク用径および壁厚調整ジャッキ２４のボールネジ固定ブロック３０を取り付けることにより、該ジャッキ２４を任意の位置に盛り変えることができるようにしていること、
（２−３）上記トラス２のトラス下側材２ｂに複数のボールネジ固定ブロック用孔を所要の間隔で穿設し、その複数のボールネジ固定ブロック用孔のうちの任意のものに、上記外側ヨーク用径および壁厚調整ジャッキ４０のボールネジ固定ブロックを取り付けることにより、該ジャッキ４０を任意の位置に盛り変えることができるようにしているのに対して、引用例１に記載されたものにおいては、そのような構成にはなっていないことで少なくとも相違する。
　
　そして、引用例２に記載の発明においても、先の引用例２に関する（イ）（ロ）の記載により、「支持フレーム３の長さ方向両側に回転自在に取り付けた横螺杆１，２に螺合した支持部材４，５の一端側に、縦フレーム６，７の上端を軸支し、同支持部材４，５の他端側と縦フレーム６，７との間を傾斜調節用螺杆１０，１１で連結しているコンクリート型枠の傾斜および位置調節支持装置」が記載されており、また、引用例３に記載された発明には、先述したように「ハンガによって埋め殺しパネルが吊り下げ固定されていること、即ち、クライミングロッド５をクライミングする揚重ジャッキ４を梁３ｂに搭載した門形ヨーク３にガイドレール７を架設し、そのガイドレール７にハンガー８を装架し、そのハンガー８のクランプ８ｂにより鋼板Ｂ１，Ｂ２を吊るようにしたコンクリート壁築造装置」が記載されているが、前記相違点にかかる構成に関しては、何ら記載されていないばかりか示唆すらもされていない。
　
　そうしてみると、上記引用例１，２，３には、いずれにも上記相違点の本願発明１，２に係る構成は何ら記載されていず、また示唆されてもいない。
　
　そして、本願発明１，２が前記相違点のような構成をとることにより、明細書の[００５０]に記載されるように、「ジャッキの据え付け位置をトラスの任意の位置に変更すなわち盛り変えることができるので、コンクリート壁の径寸法および壁厚の大きな変化にも対応することが可能である。」といった効果を奏するものである。そして、これらの点は当業者が容易に想到し得るものではない。　
　
　したがって、本願発明の請求項１、２に係る発明は、上記引用例１，２、３に記載の発明に基づいて当業者が容易に発明できたものではない。
　
４．むすび
　
　以上、本願については、原査定の拒絶理由を検討してもその理由によって拒絶すべきものとすることはできない。
　また、他に本願を拒絶すべき理由を発見しない。
　よって結論のとおり審決する。